(57)【要約】【課題】複数の記録媒体を着脱可能に装着して動画／静止画データを記録する機能を備えた表示装置において、複数の記録媒体のいずれかに動画／静止画データを記録する際に、記録先となる記録媒体の識別情報を含む記録先情報を表示する。【解決手段】表示装置１０は、メモリカードＡ，Ｂを着脱可能に装着するための複数のスロット部１３，１４と、メモリカードＡ，Ｂに動画及び／又は静止画データを記録するための外部メモリ制御部１５と、制御部２３を備える。制御部２３は、スロット部１３，１４に装着されたメモリカードＡ，Ｂのいずれかに動画及び／又は静止画データを記録する際に、スロット部１３，１４に予め設定された優先順位に従って、メモリカードＡ，Ｂから記録先となるメモリカードを選択し、選択したメモリカードの識別情報を含む記録先情報を表示部１９に表示する。【選択図】図１
2006140893.tif 000002
【特許請求の範囲】
【請求項１】
動画及び／又は静止画データを記録する手段を備えた表示装置において、記録媒体を着脱可能に装着するための複数の入出力インタフェースを備え、該入出力インタフェースに装着された複数の記録媒体のいずれかに動画及び／又は静止画データを記録する際に、記録先となる記録媒体の識別情報を含む記録先情報を表示できるようにしたことを特徴とする表示装置。
【請求項２】
請求項１に記載の表示装置において、前記入出力インタフェースに予め設定された優先順位に従って、前記複数の記録媒体から記録先となる記録媒体を選択し、該選択した記録媒体の識別情報を含む記録先情報を表示できるようにしたことを特徴とする表示装置。
【請求項３】
請求項１に記載の表示装置において、前記入出力インタフェースに装着された記録媒体の残り容量を算出する手段を備え、該算出した残り容量の多い順に、前記複数の記録媒体から記録先となる記録媒体を選択し、該選択した記録媒体の識別情報を含む記録先情報を表示できるようにしたことを特徴とする表示装置。
【請求項４】
請求項１乃至３のいずれか１に記載の表示装置において、前記記録先情報を、動画データの記録開始から所定の時間表示した後に非表示にすることを特徴とする表示装置。
【請求項５】
請求項１乃至４のいずれか１に記載の表示装置において、前記記録先情報の表示／非表示を切り換えるための切り換え手段を備えていることを特徴とする表示装置。
【請求項６】
請求項１乃至５のいずれか１に記載の表示装置において、前記記録媒体に動画データを記録する場合、前記記録先情報は、前記記録媒体の識別情報，記録開始からの経過時間，前記記録媒体の残りの記録可能時間，記録時の記録モードのいずれか１又は複数を含み、前記記録媒体に静止画データを記録する場合、前記記録先情報は、前記記録媒体の識別情報，前記記録媒体の残りの記録可能枚数のいずれか１又は複数を含むことを特徴とする表示装置。
【請求項７】
請求項１乃至６のいずれか１に記載の表示装置において、前記複数の記録媒体の一方の記録媒体に動画データを記録し、他方の記録媒体に静止画データを記録することを特徴とする表示装置。
【請求項８】
請求項１乃至７のいずれか１に記載の表示装置において、前記複数の記録媒体の一方の記録媒体から他方の記録媒体に動画及び／又は静止画データをコピーあるいはムーブする際に、コピー元及びコピー先を示す情報、あるいは、ムーブ元及びムーブ先を示す情報を表示できるようにしたことを特徴とする表示装置。
【請求項９】
請求項１乃至８のいずれか１に記載の表示装置において、音声データを音声出力する手段を備え、前記記録先となる記録媒体の識別情報を含む音声データを音声出力することにより、前記記録先となる記録媒体を識別できるようにしたことを特徴とする表示装置。
【請求項１０】
請求項１乃至９のいずれか１に記載の表示装置において、該表示装置は、テレビジョン放送信号を受信する受信手段と、該受信手段で受信したテレビジョン放送信号を出力する出力手段とを備えるテレビジョン受像機であることを特徴とする表示装置。
【請求項１１】
請求項１０に記載の表示装置において、前記受信手段を複数備え、該受信手段のいずれかで受信したテレビジョン放送信号を前記記録先となる記録媒体に記録する際に、該記録媒体の記録先情報と共に、前記受信手段の識別情報を表示させるようにしたことを特徴とする表示装置。
【請求項１２】
請求項１１に記載の表示装置において、前記複数の受信手段の一方の受信手段で受信したテレビジョン放送信号を視聴あるいは一方の記録媒体に記録すると共に、他方の受信手段で受信した前記テレビジョン放送信号とは異なるテレビジョン放送信号を他方の記録媒体に記録することを特徴とする表示装置。
【請求項１３】
動画及び／又は静止画データを記録する手段を備えた表示装置において、記録媒体を着脱可能に装着するための複数の入出力インタフェースと、該入出力インタフェースに装着された複数の記録媒体のいずれかに動画及び／又は静止画データを記録する際に、記録先となる記録媒体を識別可能に通知するための通知手段とを備えていることを特徴とする表示装置。
【請求項１４】
請求項１３に記載の表示装置において、前記通知手段は、前記入出力インタフェースに予め設定された優先順位に従って、前記複数の記録媒体から記録先となる記録媒体を選択し、該選択した記録媒体を識別可能に通知することを特徴とする表示装置。
【請求項１５】
請求項１３又は１４に記載の表示装置において、前記通知手段は、少なくとも１つのＬＥＤで構成され、前記記録先となる記録媒体が装着された入出力インタフェースに応じて前記ＬＥＤの発光色あるいは発光数を異ならせることにより、前記記録先となる記録媒体を識別できるようにしたことを特徴とする表示装置。
【請求項１６】
請求項１３又は１４に記載の表示装置において、前記通知手段は、音声データを音声出力する手段で構成され、前記記録先となる記録媒体の識別情報を含む音声データを音声出力することにより、前記記録先となる記録媒体を識別できるようにしたことを特徴とする表示装置。
【請求項１７】
動画及び／又は静止画データを記録する手段と、記録媒体を着脱可能に装着するための複数の入出力インタフェースとを備えた表示装置の表示方法において、前記入出力インタフェースに装着された複数の記録媒体のいずれかに動画及び／又は静止画データを記録する際に、前記入出力インタフェースに予め設定された優先順位に従って、前記複数の記録媒体から記録先となる記録媒体を選択し、該選択した記録媒体の識別情報を含む記録先情報を表示できるようにしたことを特徴とする表示方法。
【発明の詳細な説明】
【技術分野】
【０００１】
本発明は、表示装置及び方法、より詳細には、着脱可能に装着された記録媒体に動画や静止画データを記録する機能を備えた表示装置及びその表示方法に関し、特に、テレビジョン受像機として適用可能な表示装置に関する。
【背景技術】
【０００２】
従来、パーソナルコンピュータや、テレビジョン受像機などの電子機器には、メモリカードや、ＰＣカード（ハードディスクカード）等の記録媒体を着脱可能に装着するための入出力インタフェース（以下、カードスロット）を備えたものがある（例えば、特許文献１参照）。このカードスロットにはＰＣカードと接続するためのコネクタが設けられており、このカードスロット側のコネクタと、ＰＣカード側のコネクタとが嵌合され、電気的に接続される。通常、電子機器には、カードスロットに装着固定されたＰＣカードを排出するためのイジェクト手段が設けられている。
【０００３】
上記電子機器は、カードスロットに装着されたメモリカード等の記録媒体に動画を記録する際には、動画データの録画時間，記録媒体の残り録画可能時間などを表示させ、また、静止画を記録する際には、記録媒体の残り記録可能枚数などを表示させる機能を備えているものがある。これにより、ユーザは記録媒体の残り録画可能時間や、残り記録可能枚数などを容易に確認することができる。
【特許文献１】特開２００４−１６５７０６号公報
【発明の開示】
【発明が解決しようとする課題】
【０００４】
しかしながら、動画や静止画データの記録時に、記録媒体の残り録画可能時間などを表示させる場合、カードスロットが１つの場合には、装着可能な記録媒体は１つであるため、データがどの記録媒体に記録されているかは明らかであるが、カードスロットが２つ以上ある場合には、装着可能な記録媒体も２つ以上となり、例えば、同時に２つの記録媒体が装着されている場合、データがどの記録媒体に記録されているかわからないという問題があった。
【０００５】
本発明は、上述のごとき実情に鑑みてなされたものであり、複数の記録媒体を着脱可能に装着して動画／静止画データを記録する機能を備えた表示装置において、複数の記録媒体のいずれかに動画／静止画データを記録する際に、記録先となる記録媒体の識別情報を含む記録先情報を表示できるようにすること、を目的としてなされたものである。
【課題を解決するための手段】
【０００６】
上記課題を解決するために、第１の技術手段は、動画及び／又は静止画データを記録する手段を備えた表示装置において、記録媒体を着脱可能に装着するための複数の入出力インタフェースを備え、該入出力インタフェースに装着された複数の記録媒体のいずれかに動画及び／又は静止画データを記録する際に、記録先となる記録媒体の識別情報を含む記録先情報を表示できるようにしたことを特徴としたものである。
【０００７】
第２の技術手段は、第１の技術手段において、前記入出力インタフェースに予め設定された優先順位に従って、前記複数の記録媒体から記録先となる記録媒体を選択し、該選択した記録媒体の識別情報を含む記録先情報を表示できるようにしたことを特徴としたものである。
【０００８】
第３の技術手段は、第１の技術手段において、前記入出力インタフェースに装着された記録媒体の残り容量を算出する手段を備え、該算出した残り容量の多い順に、前記複数の記録媒体から記録先となる記録媒体を選択し、該選択した記録媒体の識別情報を含む記録先情報を表示できるようにしたことを特徴としたものである。
【０００９】
第４の技術手段は、第１乃至第３のいずれか１の技術手段において、前記記録先情報を、動画データの記録開始から所定の時間表示した後に非表示にすることを特徴としたものである。
【００１０】
第５の技術手段は、第１乃至第４のいずれか１の技術手段において、前記記録先情報の表示／非表示を切り換えるための切り換え手段を備えていることを特徴としたものである。
【００１１】
第６の技術手段は、第１乃至第５のいずれか１の技術手段において、前記記録媒体に動画データを記録する場合、前記記録先情報は、前記記録媒体の識別情報，記録開始からの経過時間，前記記録媒体の残りの記録可能時間，記録時の記録モードのいずれか１又は複数を含み、前記記録媒体に静止画データを記録する場合、前記記録先情報は、前記記録媒体の識別情報，前記記録媒体の残りの記録可能枚数のいずれか１又は複数を含むことを特徴としたものである。
【００１２】
第７の技術手段は、第１乃至第６のいずれか１の技術手段において、前記複数の記録媒体の一方の記録媒体に動画データを記録し、他方の記録媒体に静止画データを記録することを特徴としたものである。
【００１３】
第８の技術手段は、第１乃至第７のいずれか１の技術手段において、前記複数の記録媒体の一方の記録媒体から他方の記録媒体に動画及び／又は静止画データをコピーあるいはムーブする際に、コピー元及びコピー先を示す情報、あるいは、ムーブ元及びムーブ先を示す情報を表示できるようにしたことを特徴としたものである。
【００１４】
第９の技術手段は、第１乃至第８のいずれか１の技術手段において、音声データを音声出力する手段を備え、前記記録先となる記録媒体の識別情報を含む音声データを音声出力することにより、前記記録先となる記録媒体を識別できるようにしたことを特徴としたものである。
【００１５】
第１０の技術手段は、第１乃至第９のいずれか１の技術手段において、該表示装置は、テレビジョン放送信号を受信する受信手段と、該受信手段で受信したテレビジョン放送信号を出力する出力手段とを備えるテレビジョン受像機であることを特徴としたものである。
【００１６】
第１１の技術手段は、第１０の技術手段において、前記受信手段を複数備え、該受信手段のいずれかで受信したテレビジョン放送信号を前記記録先となる記録媒体に記録する際に、該記録媒体の記録先情報と共に、前記受信手段の識別情報を表示させるようにしたことを特徴としたものである。
【００１７】
第１２の技術手段は、第１１の技術手段において、前記複数の受信手段の一方の受信手段で受信したテレビジョン放送信号を視聴あるいは一方の記録媒体に記録すると共に、他方の受信手段で受信した前記テレビジョン放送信号とは異なるテレビジョン放送信号を他方の記録媒体に記録することを特徴としたものである。
【００１８】
第１３の技術手段は、動画及び／又は静止画データを記録する手段を備えた表示装置において、記録媒体を着脱可能に装着するための複数の入出力インタフェースと、該入出力インタフェースに装着された複数の記録媒体のいずれかに動画及び／又は静止画データを記録する際に、記録先となる記録媒体を識別可能に通知するための通知手段とを備えていることを特徴としたものである。
【００１９】
第１４の技術手段は、第１３の技術手段において、前記通知手段は、前記入出力インタフェースに予め設定された優先順位に従って、前記複数の記録媒体から記録先となる記録媒体を選択し、該選択した記録媒体を識別可能に通知することを特徴としたものである。
【００２０】
第１５の技術手段は、第１３又は第１４の技術手段において、前記通知手段は、少なくとも１つのＬＥＤで構成され、前記記録先となる記録媒体が装着された入出力インタフェースに応じて前記ＬＥＤの発光色あるいは発光数を異ならせることにより、前記記録先となる記録媒体を識別できるようにしたことを特徴としたものである。
【００２１】
第１６の技術手段は、第１３又は第１４の技術手段において、前記通知手段は、音声データを音声出力する手段で構成され、前記記録先となる記録媒体の識別情報を含む音声データを音声出力することにより、前記記録先となる記録媒体を識別できるようにしたことを特徴としたものである。
【００２２】
第１７の技術手段は、動画及び／又は静止画データを記録する手段と、記録媒体を着脱可能に装着するための複数の入出力インタフェースとを備えた表示装置の表示方法において、前記入出力インタフェースに装着された複数の記録媒体のいずれかに動画及び／又は静止画データを記録する際に、前記入出力インタフェースに予め設定された優先順位に従って、前記複数の記録媒体から記録先となる記録媒体を選択し、該選択した記録媒体の識別情報を含む記録先情報を表示できるようにしたことを特徴としたものである。
【発明の効果】
【００２３】
本発明によると、複数の記録媒体を着脱可能に装着して動画／静止画データを記録する機能を備えた表示装置において、複数の記録媒体のいずれかに動画／静止画データを記録する際に、記録先となる記録媒体の識別情報を含む記録先情報を表示できるため、当該データをどの記録媒体に記録しているのかが一目でわかり、複数の記録媒体の管理が容易になる。
【発明を実施するための最良の形態】
【００２４】
図１は、本発明の一実施形態に係る表示装置の構成例を示すブロック図で、複数の記録媒体（以下、メモリカードで代表する）を着脱可能に装着して動画／静止画データを記録する機能を備えたテレビジョン受像機として構成された本発明の表示装置の一例を示すものである。表示装置１０は、テレビジョン放送信号を受信するアンテナ１１と、アンテナ１１によって受信されたテレビジョン放送信号を映像検波し、映像信号及び音声信号を出力する受信部１２と、外部メモリであるメモリカードＡ，Ｂが挿入されるスロット部（入出力インタフェース）１３，１４と、スロット部１３に挿入されたメモリカードＡあるいはスロット部１４に挿入されたメモリカードＢと通信を行う外部メモリ制御部１５と、受信部１２から出力される信号と外部メモリ制御部１５から出力される信号とを切り換える切換部１６と、切換部１６から入力された映像信号をＲ，Ｇ，Ｂ信号に変換して出力する映像処理部１７と、切換部１６から入力された音声信号を再生処理して出力する音声処理部１８と、映像処理部１７から出力された映像信号を入力する液晶ディスプレイなどの表示部１９と、音声処理部１８から出力された音声信号を入力して音声出力するスピーカ２０と、各種データやプログラムを記憶する半導体メモリ等からなるメモリ２１と、リモコン３０から出力される赤外線を受光する受光部２２と、上記各要素を制御する制御部２３とを備えている。
【００２５】
なお、上記アンテナ１１及び受信部１２が本発明の受信手段に該当し、また、切換部１６，映像処理部１７，音声処理部１８，表示部１９，及びスピーカ２０が本発明の出力手段に該当し、また、外部メモリ制御部１５が本発明の動画及び／又は静止画データを記録する手段に該当する。また、リモコン３０は、後述の図４に示すキー構成と同様のキー構成を持ったリモコンが適用される。
【００２６】
図１において、メモリカードＡ，Ｂは、例えば、半導体メモリカード、ＰＣカード（ハードディスクカード）などであって、メモリカードＡ，Ｂの入出力Ｉ／Ｆとなるスロット部１３，１４に対して着脱可能に装着されている。アンテナ１１及び受信部１２で受信されたテレビジョン放送信号は、映像処理部１７／音声処理部１８にて処理され、その映像信号は表示部１９、音声信号はスピーカ２０からそれぞれ出力され、視聴者は放送番組を視聴することができる。
【００２７】
表示装置１０は、視聴中の番組をメモリカードＡ，Ｂのいずれかに録画しようとした場合に、後述の図５に示すように、録画先となるメモリカードＡあるいはメモリカードＢの識別情報を含む記録先情報を表示する。各メモリカードの識別情報は、メモリカードがスロット部１３あるいはスロット部１４に装着されたときに外部メモリ制御部１５により取得され、メモリ２１に記憶される。制御部２３は、番組（動画データ）の録画時に、録画先となるメモリカードの識別情報をメモリ２１から読み出して映像処理部１７に送る。
【００２８】
また、制御部２３は、上記録画先となるメモリカードに対して、予め設定されたあるいはユーザにより設定された録画モードに基づいて残り録画可能時間を算出し、さらに、録画開始後にタイマ機能により番組の録画開始からの経過時間をカウントし、これらの情報を映像処理部１７に送る。映像処理部１７は、メモリ２１から読み出した録画先のメモリカードの識別情報と、録画モード，残り録画可能時間，録画開始からの経過時間などから記録先情報を生成し、その記録先情報を映像処理部１７にて切換部１６から出力される映像信号に加算して合成映像信号を生成し、表示部１９にＯＳＤ表示させる。
【００２９】
上記では動画データである番組を録画する場合について説明したが、番組中の所望のシーンを静止画として取り込み、静止画をメモリカードＡ又はメモリカードＢに記録するようにしてもよい。この場合、映像処理部１７は、メモリ２１から読み出した記録先となるメモリカードの識別情報と、現在の記録枚数，残り記録可能枚数などから記録先情報を生成し、その記録先情報を映像処理部１７にて切換部１６から出力される映像信号に加算して合成映像信号を生成し、表示部１９にＯＳＤ表示させる。
【００３０】
また、上記記録先情報は、番組の録画開始から所定の時間表示した後に非表示とすることができる。この記録先情報を表示させる時間は、ユーザ設定により調整可能としてもよい。また、後述の図４に示すように、リモコン３０に表示／非表示切換キーを備えておき、この表示／非表示切換キーにより記録先情報の表示／非表示を切り換えるようにしてもよい。
【００３１】
このように、表示装置１０は、動画の録画あるいは静止画の記録（以下、動画の録画を代表例して説明する）が開始されると、録画先となるメモリカードＡあるいはメモリカードＢの記録先情報を表示することができるため、録画時にどのメモリカードに対して録画が行われているのか容易にわかる。
【００３２】
また、メモリカードＡ、メモリカードＢのいずれか一方だけがスロット部１３あるいはスロット部１４に装着されている場合も、上記と同様に記録先情報を表示させるようにしてもよいが、メモリカードが１つの場合には、録画先はそのメモリカードに決まるため、記録先情報を非表示としてもよい。
【００３３】
また、別の実施形態として、音声により録画先のメモリカードの識別を行うようにしてもよい。視聴中の番組をメモリカードＡ，Ｂのいずれかに録画しようとした場合に、録画先となるメモリカードＡあるいはメモリカードＢの識別情報を含む音声データを音声出力する。各メモリカードの識別情報は、メモリカードがスロット部１３あるいはスロット部１４に装着されたときに外部メモリ制御部１５により取得され、メモリ２１に音声データとして記憶される。制御部２３は、番組の録画時に、録画先となるメモリカードの識別情報を含む音声データをメモリ２１から読み出して音声処理部１８に送り、その音声データを音声処理部１８からスピーカ２０に音声出力させる。
【００３４】
ここで、メモリカードＡ、メモリカードＢのどちらに録画を行うかは、スロット部１３，１４に予め設定された優先順位に基づいて決めることができる。この優先順位はデフォルトで予め設定しておいてもよく、また、ユーザにより任意に設定できるようにしてもよい。具体的な処理例としては、例えば、スロット部１３，スロット部１４の順に優先順位が設定されている場合、スロット部１３に装着されたメモリカードＡが優先され、メモリカードＡの記録先情報が表示される。この際、メモリカードＡの記憶容量がいっぱいになった場合、録画先をメモリカードＢに自動的に切り替えて、メモリカードＢに録画するようにしてもよい。
【００３５】
また、別の実施形態として、スロット部１３、スロット部１４に装着されたメモリカードＡ，Ｂの残り容量（すなわち、空き容量）を算出するようにし、その結果に基づいてメモリカードＡ，Ｂのどちらに録画を行うか決めてもよい。メモリカードＢのほうが残り容量が多ければ、メモリカードＢが優先され、メモリカードＢの記録先情報が表示される。上記残り容量の算出処理は、外部メモリ制御部１５により実行される。
【００３６】
図２は、本発明の他の実施形態に係る表示装置の構成例を示すブロック図で、図１に示した表示装置１０の構成に加えて、さらに、アンテナ２４及び受信部２５を備え、複数チューナの構成としてもよい。例えば、受信部１２をアナログチューナ、受信部２５をデジタルチューナとした場合、メモリカードＡ，Ｂに対して異なる番組を同時に録画する、あるいは、一方のチューナで番組視聴中に他方のチューナで受信した他の番組をメモリカードＡ又はメモリカードＢに録画（所謂、裏録）するような利用形態が可能となる。このように複数のチューナとした場合、図５に示す記録先情報では、どのチューナで受信した番組がどのメモリカードに記録されているのかがわからない。そこで、後述の図８に示すように、録画する番組がどのチューナ（番組のソース）で受信したものであるか示す情報（すなわち、チューナの識別情報）を合わせて表示するようにしてもよい。
【００３７】
ここで、前述したように、表示装置１０は、動画データ及び／又は静止画データの両方をメモリカードＡあるいはメモリカードＢに記録することができる。この際、動画／静止画データを管理しやすくするために、メモリカードＡ（又はメモリカードＢ）に動画、メモリカードＢ（又はメモリカードＡ）に静止画を記録するようにしてもよい。図４に示すように、リモコン３０は、動画データを録画するための録画キー，静止画データを記録するための静止画記録キーを備えており、これらのキーと記録先となるメモリカードを予め対応付けておく。例えば、録画キーが押下された場合、動画データがメモリカードＡに録画され、静止画記録キーが押下された場合、静止画データがメモリカードＢに記録される。
【００３８】
図３は、図１に示した表示装置１０の一例を示す外観図で、表示装置１０は、前面右側のスロット部１３，１４の近傍にＬＥＤ部２６、上面中央部には音量調整や選局を行うための本体操作部２７、前面右下部にはリモコン受光部や電源ランプ、タイマランプ等の各種のインタフェース部２８を備えている。
【００３９】
図４は、図３に示した表示装置１０を操作するためのリモコン３０の一例を示す外観図で、リモコン３０は、表示装置１０の電源をＯＮ／ＯＦＦする電源キー３１、動画データを録画するための録画キー３２、静止画データを記録するための静止画キー３３、メモリカードの記録先情報の表示／非表示を切り換えるための表示／非表示切換キー３４を備えている。リモコン３０からの操作指示情報はインタフェース部２８のリモコン受光部に入り、各種処理が実行される。表示装置１０では、メモリカードＡ，Ｂへの録画処理、再生処理、さらには初期化処理、プロテクト処理等を行うことができ、メモリカードＡ，Ｂによって録画、再生可能なコンテンツとして、静止画や動画、電子ブック等の各種映像データについて行うことができる。
【００４０】
図３（Ａ）は表示装置１０を斜め前から見た斜視図で、図３（Ｂ）は表示装置１０にメモリカードＡ，Ｂが挿入された様子を上面から見た部分図である。本実施形態では、メモリカードＡ，Ｂを挿入するためのスロット部１３，１４を表示装置１０の右側面上部に設けているが、スロット部１３，１４を設ける位置はこれに限定されない。ＬＥＤ部２６は、本例では２つのＬＥＤから構成されているが、少なくとも１つのＬＥＤを有していればよい。このＬＥＤ部２６は、録画先となるメモリカードが装着されたスロット部に応じてＬＥＤの発光色を変化させることができる。例えば、スロット部１３に装着されたメモリカードＡを記録先とした場合、録画時にＬＥＤを青色に発光させ、スロット部１４に装着されたメモリカードＢを記録先とした場合、録画時にＬＥＤを赤色に発光させる。このように発光色の違いでどのメモリカードに記録されているかを識別することができる。尚、この場合にはＬＥＤは少なくとも１つ配設されていればよい。
【００４１】
また、別の実施形態として、ＬＥＤの発光数の違いで録画先のメモリカードの識別を行うようにしてもよい。例えば、スロット部１３に装着されたメモリカードＡを記録先とした場合、ＬＥＤの発光数を１つとし、スロット部１４に装着されたメモリカードＢを記録先とした場合、ＬＥＤの発光数を２つとする。このように発光数の違いでどのメモリカードに記録されているかを識別することができる。尚、この場合にはＬＥＤは２つ以上配設されていればよい。
【００４２】
さらに、前述したように、音声により録画先のメモリカードの識別を行うようにしてもよい。視聴中の番組をメモリカードＡ，Ｂのいずれかに録画しようとした場合に、録画先となるメモリカードＡあるいはメモリカードＢの識別情報を含む音声データを音声出力する。各メモリカードの識別情報は、メモリカードがスロット部１３あるいはスロット部１４に装着されたときに外部メモリ制御部１５により取得され、メモリ２１に音声データとして記憶される。制御部２３は、番組の録画時に、録画先となるメモリカードの識別情報を含む音声データをメモリ２１から読み出して音声処理部１８に送り、その音声データを音声処理部１８からスピーカ２０に音声出力させる。
【００４３】
図５は、表示装置１０が表示する記録先情報の一例を示す図である。
図５（Ａ）は、動画データを録画する際に表示される記録先情報を示す図である。このように、表示装置１０の動作状態を示す「録画中」を表示し、記録先情報として、録画先：カードＡ（メモリカードＡの識別情報）、時間：００：００：１０（録画開始からの経過時間）、残時間：０２：５０：４０（メモリカードＡの残り録画可能時間）、録画モード：ＳＰ（録画時の録画モード）の１又は複数が含まれている。尚、この録画モードは録画する動画データのビットレートに応じてＨＱ（高画質）／ＳＰ（通常）／ＬＰ（低画質）などを設定可能とし、この録画モードの設定に応じて残時間が変化することになる。
【００４４】
図５（Ｂ）は、静止画データを記録する際に表示される記録先情報を示す図である。このように、表示装置１０の動作状態を示す「記録しました」を表示し、記録先情報として、記録先：カードＢ（メモリカードＢの識別情報）、枚数：１０枚（現在の記録枚数）、残枚数：１２５枚（メモリカードＢの残り記録可能枚数の平均）の１又は複数が含まれている。尚、記録する静止画のデータ量に応じて残枚数は変化することになる。
【００４５】
図５（Ａ）及び図５（Ｂ）に示す記録先情報は、例えば、録画しているチャンネル情報、ユーザ名（例えば、家族であれば、父さん，母さん，姉さんなど）、ユーザ固有のＩＤ、禁止事項（例えば、「録画中はチャンネル操作禁止」などのメッセージ）などの情報を含むようにしてもよい。
【００４６】
図６は、表示装置１０が表示する記録先情報の他の例を示す図である。本例は、図５（Ａ）に示した記録先情報をバー表示したもので、これにより、ユーザはメモリカードの残り録画可能時間などをより直感的に把握することができる。
【００４７】
図７は、表示装置１０が表示する記録先情報の他の例を示す図である。本例は、複数のメモリカードの一方（例えば、メモリカードＡ）から他方（メモリカードＢ）に動画及び／又は静止画データをコピー（すなわち、ダビング）する際に、ダビング元を示す情報（本例ではカードＡ）、ダビング先を示す情報（本例ではカードＢ）を表示するようにしてもよい。また、ムーブの場合も同様で、複数のメモリカードの一方（例えば、メモリカードＡ）から他方（メモリカードＢ）に動画及び／又は静止画データをムーブする際に、ムーブ元を示す情報（本例ではカードＡ）、ムーブ先を示す情報（本例ではカードＢ）を表示するようにしてもよい。
【００４８】
図８は、表示装置１０が表示する記録先情報の他の例を示す図である。本例は、図２に示したように、複数チューナの場合、録画先となるメモリカード（本例ではメモリカードＡ）に動画及び／又は静止画データを記録する際に、どのチューナで受信したものであるか示す情報（本例ではデジタルチューナ）が付加されている。これにより、ユーザはどのチューナで受信した番組がどのメモリカードに記録されているのか容易に把握することができる。
【００４９】
図９は、本発明が適用される表示装置１０による記録先情報の表示処理の一例を説明するためのフロー図である。尚、本例は、図１に示した表示装置１０の構成に基づいて動画データを録画する処理について説明するものとする。まず、表示装置１０の外部メモリ制御部１５は、スロット部１３あるいはスロット部１４にメモリカードが装着されたかどうかを判断し（ステップＳ１）、メモリカードが装着されたと判断した場合（ＹＥＳの場合）、メモリカードの識別情報を取得してメモリ２１に格納する（ステップＳ２）。また、上記ステップＳ１において、メモリカードが装着されていない場合（ＮＯの場合）、ステップＳ１でメモリカードの装着待ち状態となる。
【００５０】
次に、制御部２３は、動画データの録画開始を判断する（ステップＳ３）。これはリモコン３０の録画キー３２が押下されたかどうかを判断する。録画キー３２が押下されたと判断した場合（ＹＥＳの場合）、優先順位に従って録画先となるメモリカードを選択する（ステップＳ４）。映像処理部１７は、選択されたメモリカードの識別情報をメモリ２１から読み出し、その録画先のメモリカードの識別情報と、録画モード，残り録画可能時間，録画開始からの経過時間などから記録先情報を生成し、その記録先情報を切換部１６から出力される映像信号に加算して合成映像信号を生成し、表示部１９にＯＳＤ表示させる（ステップＳ５）。また、上記ステップＳ３において、録画が開始されない、すなわち録画キー３２の押下が確認されない場合（ＮＯの場合）、ステップＳ３において録画指示待ちとなる。
【００５１】
次に、制御部２３は、上記記録先情報の表示から所定時間経過したかどうかを判断し（ステップＳ６）、所定時間経過したと判断した場合（ＹＥＳの場合）、メモリカードの記録先情報を非表示とする（ステップＳ８）。また、上記ステップＳ６において、所定時間経過していないと判断した場合（ＮＯの場合）、リモコン３０の表示／非表示切換キー３４が押下されたかどうかを判断し（ステップＳ７）、表示／非表示切換キー３４が押下されたと判断した場合（ＹＥＳの場合）、ステップＳ８に移行し、メモリカードの記録先情報を非表示とする。また、上記ステップＳ７において、表示／非表示キー３４の押下が確認されない場合（ＮＯの場合）、上記ステップＳ６に戻る。
【００５２】
さらに、リモコン３０の表示／非表示切換キー３４が押下されたかどうかを判断し（ステップＳ９）、表示／非表示切換キー３４が押下されたと判断した場合（ＹＥＳの場合）、上記ステップＳ５に移行し、選択したメモリカードの記録先情報を表示する。また、上記ステップＳ９において、表示／非表示キー３４の押下が確認されない場合（ＮＯの場合）、そのまま終了する。
【００５３】
以上、本発明の表示装置１０をテレビジョン受像機に適用した場合を代表例として説明したが、本発明の表示装置１０は、動画及び／又は静止画データを複数のメモリカードに記録／再生可能なパーソナルコンピュータなどに適用してもよく、さらには、メモリカード，ＤＶＤ，ＣＤ，ＢＤ，及びＨＤなどの２以上の記録媒体に記録／再生可能な記録再生装置に対して適用してもよく、この場合、記録再生装置に表示装置を外部接続して、表示装置に上記記録先情報を表示させるようにしてもよい。
【図面の簡単な説明】
【００５４】
【図１】本発明の一実施形態に係る表示装置の構成例を示すブロック図である。
【図２】本発明の他の実施形態に係る表示装置の構成例を示すブロック図である。
【図３】図１に示した表示装置の一例を示す外観図である。
【図４】図３に示した表示装置を操作するためのリモコンの一例を示す外観図である。
【図５】表示装置が表示する記録先情報の一例を示す図である。
【図６】表示装置が表示する記録先情報の他の例を示す図である。
【図７】表示装置が表示する記録先情報の他の例を示す図である。
【図８】表示装置が表示する記録先情報の他の例を示す図である。
【図９】本発明が適用される表示装置による記録先情報の表示処理の一例を説明するためのフロー図である。
【符号の説明】
【００５５】
１０…表示装置、１１，２４…アンテナ、１２，２５…受信部、１３，１４…スロット部、１５…外部メモリ制御部、１６…切換部、１７…映像処理部、１８…音声処理部、１９…表示部、２０…スピーカ、２１…メモリ、２２…受光部、２３…制御部、２６…ＬＥＤ部、２７…本体操作部、２８…インタフェース部、３０…リモコン、３１…電源キー、３２…録画キー、３３…静止画記録キー、３４…表示／非表示切換キー。
【図１】
2006140893.tif 000003
【図２】
2006140893.tif 000004
【図３】
2006140893.tif 000005
【図４】
2006140893.tif 000006
【図５】
2006140893.tif 000007
【図６】
2006140893.tif 000008
【図７】
2006140893.tif 000009
【図８】
2006140893.tif 000010
【図９】
2006140893.tif 000011